(57)【要約】【課題】通信の確実性とハンディー性と操作性を同時に確保すること。【解決手段】非接触型のＩＣカード２２に対して双方向にデータ交換する可動型のリーダーライター１を安定的に支持する固定型の固定台２が設けられている。固定台２は非接触ＩＣカード２２を安定的に装着する装着部位１６を形成する。装着部位１６は、浅い穴として形成され、非接触ＩＣカード２２を位置決めし、固定台２に位置決めされるリーダーライター１に対して非接触ＩＣカードを位置決めする。非接触ＩＣカード２２と可動型のリーダーライター１の相対的固定は、通信精度を向上させ、特別処理の際の操作性を向上させる。【選択図】          図１
2005135351.tif 000002
【特許請求の範囲】
【請求項１】
可動型リーダーライターと、
前記可動型リーダーライターと接続された固定型リーダーライターとを具備し、
前記可動型リーダーライターは、非接触ＩＣカードが前記可動型リーダーライターに近接して提供されたとき、前記非接触ＩＣカードに対して双方向にデータ交換し、データ交換の結果得られたデータを前記固定式リーダーライターに送信し、
前記固定型リーダーライターは、前記非接触ＩＣカードが前記固定型リーダーライターに近接して提供されたとき、前記非接触ＩＣカードに対して双方向にデータ交換し、データ交換により獲得された前記データを処理し、前記可動型リーダーライターから送信されたデータを処理する
ＩＣカード用リーダーライター。
【請求項２】
請求項１に記載のＩＣカード用リーダーライターにおいて、
前記固定型リーダーライターは、
前記可動型リーダーライターを安定的に支持する支持部を具備する
ＩＣカード用リーダーライター。
【請求項３】
請求項２に記載のＩＣカード用リーダーライターにおいて、
前記固定型リーダーライターは、前記非接触ＩＣカードが安定的に装着される装着部位を具備する
ＩＣカード用リーダーライター。
【請求項４】
請求項１乃至３のいずれかに記載のＩＣカード用リーダーライターにおいて、
前記可動型リーダーライターは、
可動側電源部と、
リードライト制御器に対して通信用電波を双方向に送受信する無線部とを具備し、
前記固定型リーダーライターは、固定側電源部を具備し、
前記固定側電源部は前記可動側電源部に有線で電力を供給する
請求項１のＩＣカード用リーダーライター。
【請求項５】
請求項４に記載のＩＣカード用リーダーライターにおいて、
前記可動側電源部は蓄電器を形成する
ＩＣカード用リーダーライター。
【請求項６】
請求項５に記載のＩＣカード用リーダーライターにおいて、
前記固定側電源部は前記蓄電器に電力を供給する充電器を構成する
ＩＣカード用リーダーライター。
【請求項７】
請求項１乃至６のいずれかに記載のＩＣカード用リーダーライターにおいて、
前記可動型リーダーライターは、
データを入力するための操作部と、
前記操作部から入力されたデータを前記固定型リーダーライターに送信する制御部と
を具備し、
前記固定型リーダーライターは、
前記非接触ＩＣカードから得られ、前記可動型リーダーライターから送信されたデータを処理し、前記非接触ＩＣカードが前記固定型リーダーライターに近接して提供されたとき、前記非接触ＩＣカードとのデータ交換により獲得された前記データを処理し、前記可動型リーダーライターから入力データが送信されたとき、前記データを前記入力データに基づいて処理する制御部を具備する
ＩＣカード用リーダーライター。
【請求項８】
高速道路の自動料金収受所で用いられる請求項１乃至７のいずれかに記載のＩＣカード用リーダーライター。
【発明の詳細な説明】
【技術分野】
【０００１】
本発明は、ＩＣカード用リーダーライターに関する。
【背景技術】
【０００２】
高速道路の料金決済所を高速化し又は無人化するために、料金自動収受システムが採用される。所料金自動収受システムは、車輌側のＩＣカード装着車載器と料金所側（ゲート側）のコンピュータとの間でアンテナを介して料金収受決済に必要であるでデータを双方向にやり取りして、その決済又は決済に必要な手続を自動的に完了する自動機械として提供されている。車載器が搭載されていない二輪車では、タッチ・アンド・ゴーシステムで、非接触型ＩＣカードと双方向に情報通信するリーダーライターが必要である。
【０００３】
車種変更のような特別事情による情報処理、身体障害者のための料金割引のような特別処理が料金所で行われる場合には、完全自動化が不適切である場合がある。特別処理は、収受所の収受員により処理される。
【０００４】
ハンディー型処理器は、コンビニ、飲食店で用いられている。コンビニで用いられるハンディー型処理器は、バーコードを読み取る読取器、又は、ポイント制カードの情報を無接触に双方向に通信する情報読取・書取器（リーダーライター）として提供されている。非接触式リーダーライターは、後掲特許文献１で知られている。
【０００５】
プリペイドカードに対してはデビット不足又はクレジット不足に起因する現金の受取り、既述の特別処理、カードの受け渡し、情報処理スイッチングのような多様な操作と動作を強いられる収受員がハンディー・リーダー・ライターを手に持ち続けることは、操作ミスと事務処理遅延を招き、料金収受所の自動化による高速性を希釈化する。
【０００６】
特別処理を円滑化することが求められる。収受員が特別処理のために非接触型ＩＣカードを手にする場合の処理の高速化が重要である。
【０００７】
【特許文献１】特開２００３−５８３３号
【発明の開示】
【発明が解決しようとする課題】
【０００８】
本発明の課題は、特別処理を円滑化するＩＣカード用リーダーライターを提供することにある。
本発明の他の課題は、収受員が特別処理のために非接触型ＩＣカードを手にする場合の処理を高速化するＩＣカード用リーダーライターを提供することにある。
本発明の更に他の課題は、ハンディー性と通信の確実性と操作性を同時に確保するＩＣカード用リーダーライターを提供することにある。
【課題を解決するための手段】
【０００９】
本発明の観点では、ＩＣカード用リーダーライターは、可動型リーダーライターと、前記可動型リーダーライターと接続された固定型リーダーライターとを具備する。前記可動型リーダーライターは、非接触ＩＣカードが前記可動型リーダーライターに近接して提供されたとき、前記非接触ＩＣカードに対して双方向にデータ交換し、データ交換の結果得られたデータを前記固定式リーダーライターに送信する。前記固定型リーダーライターは、前記非接触ＩＣカードが前記固定型リーダーライターに近接して提供されたとき、前記非接触ＩＣカードに対して双方向にデータ交換し、データ交換により獲得された前記データを処理し、前記可動型リーダーライターから送信されたデータを処理する。
前記固定型リーダーライターは、前記可動型リーダーライターを安定的に支持する支持部を具備することが望ましい。
前記固定型リーダーライターは、前記非接触ＩＣカードが安定的に装着される装着部位を具備することが望ましい。
前記可動型リーダーライターは、可動側電源部と、リードライト制御器に対して通信用電波を双方向に送受信する無線部とを具備する。前記固定型リーダーライターは、固定側電源部を具備する。前記固定側電源部は前記可動側電源部に有線で電力を供給する。このとき、前記可動側電源部は蓄電器を形成し、前記固定側電源部は前記蓄電器に電力を供給する充電器を構成することが望ましい。
前記可動型リーダーライターは、データを入力するための操作部と、前記操作部から入力されたデータを前記固定型リーダーライターに送信する制御部とを具備してもよい。前記固定型リーダーライターは、前記非接触ＩＣカードから得られ、前記可動型リーダーライターから送信されたデータを処理し、前記非接触ＩＣカードが前記固定型リーダーライターに近接して提供されたとき、前記非接触ＩＣカードとのデータ交換により獲得された前記データを処理し、前記可動型リーダーライターから入力データが送信されたとき、前記データを前記入力データに基づいて処理する制御部を具備する。
上記ＩＣカード用リーダーライターは、高速道路の自動料金収受所で用いられる。
【発明の効果】
【００１０】
本発明によるＩＣカード用リーダーライターは、特別処理を円滑化し、収受員が特別処理のために非接触型ＩＣカードを手にする場合の処理を高速化し、ハンディー性を十分に発揮させ、且つ、通信の安定を確保することができる。
【発明を実施するための最良の形態】
【００１１】
本発明による非接触ＩＣカード用リーダーライターの実現態は、図に対応して、詳細に記述される。非接触ＩＣカードは、非接触型で形成されている。ハンディーリーダーライター１は、図１に示されるように、リーダーライター設置台２とともに設けられている。ハンディーリーダーライター１は、収受員が手で持ちやすい把持筐体部分３と手動側送受信制御筐体部分４とから形成されている。リーダーライター設置台２は、ハンディーリーダーライター１が安定的に載置される設置筐体部分５と手動側送受信制御筐体部分６とから形成されている。リーダーライター設置台２は、リーダーライターとしても機能する。
【００１２】
リーダーライター設置台２には、ハンディーリーダーライター１の下面、特に、手動側送受信制御筐体部分４の下面が安定的に接合する接合面７が形成されている。本実現態では、接合面７は設置筐体部分５の上面として形成されている。把持筐体部分３は、片手指で握ってハンディーリーダーライター１を安定的に把持する円柱面状、楕円柱面状の握り部分として形状化されている。手動側送受信制御筐体部分４をリーダーライター設置台２に対して安定的に支持するために、嵌め込み穴面８が手動側送受信制御筐体部分６に形成されている。嵌め込み穴面８は、手動側送受信制御筐体部分４の前端面９が接合する第１穴面１１と手動側送受信制御筐体部分４の両側面１２が接合する第２穴面１３とから形成されている。第１穴面１１は、第２穴面１３に概ね直交することが好ましい。第１穴面１１と第２穴面１３は、第１穴面１１と第２穴面１３との間の幅が手前側で狭くなる蟻溝嵌合面に形成されることが安定化の点で特に好ましい。設置筐体部分５の後縁には立上がり部分１４が形成される。把持筐体部分３が安定的に上方側から入り込む把持部分嵌め込み凹部１５が立上がり部分１４に形成されることは、安定化促進の点で更に好ましい。この場合に、ハンディーリーダーライター１がリーダーライター設置台２に安定的に載置される載置状態で、把持筐体部分３の後端部分が凹部１５より後方に延びていることは、把持筐体部分３を握ってリーダーライター設置台２から離脱させる容易さの点で好ましい。
【００１３】
手動側送受信制御筐体部分６には、非接触ＩＣカード安定収容穴１６が形成される。非接触ＩＣカード安定収容穴１６の内側輪郭は、非接触ＩＣカード（図１には図示されず）の外側輪郭より僅かに大きい。非接触ＩＣカード安定収容穴１６の周縁の一部に、手動側送受信制御筐体部分６の表面と非接触ＩＣカード安定収容穴１６の底面とを滑らかに接続する指滑り面１７が形成される。指滑り面１７に指を当てて指滑り面１７で指を滑らせることにより、非接触ＩＣカード安定収容穴１６に安定的に嵌まっている非接触ＩＣカードを容易に非接触ＩＣカード安定収容穴１６から取り出すことができる。
【００１４】
図２は、ハンディーリーダーライター１とリーダーライター設置台２とを組み合わせて使用する料金収受方法を示している。料金収受所は、電源、アンテナのような車線機器１９を備えている。リーダーライター設置台２は、車線機器１９の建屋の収受窓口の近辺の事務机のような収受所員が手を伸ばせば届く範囲の固定台２１に固定的に設置される。図１に対応して既述された通り、ハンディーリーダーライター１はリーダーライター設置台２に安定的に載置され、非接触ＩＣカード（通称：ＰＩＣＣ）２２はリーダーライター設置台２に安定的に載置される。
【００１５】
図３は、ハンディーリーダーライター１とリーダーライター設置台２の電磁的情報交換制御回路を示している。ハンディーリーダーライター１は、非接触ＩＣカードとの通信をリーダーライター部２３を備えている。リーダーライター部２３は、可動側電源部２４と、可動側制御部２５と、可動側ＲＦ部（可動側高周波生成部）２６と、可動側アンテナ部２７と、可動側表示操作部２８とを形成している。可動側表示操作部２８は、図１に示されるように、手動側送受信制御筐体部分４の前方部位に形成されている。可動側表示操作部２８は、可動側制御部２５に双方向に接続している。可動側表示操作部２８は、収受操作用ボタンと可動側収受処理誘導表示画面２９を形成している。収受操作用ボタンは、可動側収受処理誘導表示画面２９に組み込まれて指タッチ形式で形成され得る。
【００１６】
リーダーライター設置台２は、リーダーライター部３１を備えている。リーダーライター部３１は、固定側電源部３２と、固定側制御部３３と、固定側ＲＦ部（固定側高周波生成部）３４と、固定側アンテナ部３５と、固定側表示操作部３６とを形成している。固定側表示操作部３６は、図１に示されるように、手動側送受信制御筐体部分６の前方部位に形成されている。固定側表示操作部３６は、固定側情報交換制御回路３１に双方向に接続している。固定側表示操作部３６は、収受操作用ボタンと固定側収受処理誘導表示画面を形成している。収受操作用ボタンは、固定側収受処理誘導表示画面に組み込まれて指タッチ形式で形成され得る。
【００１７】
固定側電源部３２は、車線機器１９の主電源から有線３８で電力の供給を受ける。固定側制御部３３は、有線３９により車線機器１９のリーダーライター制御部４１（図２参照）に従属して、ハンディーリーダーライター１に対し双方向にリードライト制御を実行する。
【００１８】
ハンディーリーダーライター１の可動側電源部２４は、リーダーライター設置台２の固定側電源部３２から電力の供給を受ける。固定側電源部３２は、電力供給線４２を介して、可動側電源部２４に電力を供給する。電力供給線４２は、図１に示されるように、把持筐体部分３の手前端面から延びている。電力供給線４２の先端には、リーダーライター設置台２の差込み口（図示されず）に差し込まれる差込み４３が形成されている。可動側電源部２４は、蓄電池であることが好ましい。電力供給線４２はフレキシブルであり、電力供給線４２を介してリーダーライター設置台２に電気的に接続されるハンディーリーダーライター１は、一定領域内で収受員により自由に持ち運ばれ得る。
【００１９】
特別処理が存在しない場合には、収受員は、大型の二輪車のドライバーから非接触ＩＣカード２２を手渡し的に受け取り手動側送受信制御筐体部分４の近傍に非接触ＩＣカード２２を近づけることにより、あるいはドライバーの保持する非接触ＩＣカードに手動側送受信制御筐体部分４を近づけることにより、非接触的に料金収受をタッチアンドゴー形式で完了させることができる。このとき、非接触ＩＣカード２２との通信で得られたデータは固定側の制御部３３に送信され、処理される。ここで、タッチは、非接触ＩＣカード２２と手動側送受信制御筐体部分４の機械的接触を意味せず、電磁波相互作用を意味する。電磁波相互作用による情報交換を確実にするための非接触ＩＣカード２２と手動側送受信制御筐体部分４の空間的接近は、タッチ（電磁的接触）といわれる。このような処理は、公知の処理に同じである。
【００２０】
特別処理が存在する場合には、収受員は、二輪車のドライバー、又は、車載器搭載の四輪車の特殊事情があるドライバー（例示：身体障害者）から非接触ＩＣカード２２を手渡し的に受け取って、リーダーライター設置台２の非接触ＩＣカード安定収容穴１６に挿入する。こうして、固定側のＲＦ部３４とアンテナ部３５を介して非接触ＩＣカード２２との通信で得られたデータは制御部３３に入力される。収受員は、ハンディーリーダーライター１をリーダーライター設置台２に載置する。可動側表示操作部２８に付随する操作ボタン、又は、固定側表示操作部３６に付随する操作ボタンを操作し、割引料金額のような処理画面を通じて、割引料金額のようなドライバーに固有の特別処理用データを入力する。特別処理用データは、固定側の操作部３６の操作により直接、あるいは可動側の操作部２８の操作により制御部２５を介して制御部３３に供給される。制御部３３は、非接触ＩＣカード２２との通信により得られたデータを特別処理用データに基づいて処理する。処理結果は非接触ＩＣカードに書き込まれても良い。最終的には、処理されたデータは車線機器１９のリーダーライター制御部４１に送信される。
【００２１】
車線機器１９の情報交換器であるリーダーライター制御部４１と非接触ＩＣカード２２との間の交信は、通常処理時には、リーダーライター設置台２から離脱しているハンディーリーダーライター１を介して実行される。この場合には、リーダーライター制御部４１と非接触ＩＣカード２２の間のデータ交換通信は、ハンディーリーダーライター１のアンテナ２７とを介して、無線で実行される。特別処理時には、車線機器１９の情報交換器であるリーダーライター制御部４１と非接触ＩＣカード２２との間の交信は、リーダーライター設置台２に載置されているハンディーリーダーライター１を介して実行される。このような特別処理時のハンディーリーダーライター１とリーダーライター設置台２の通信には２通りのうちの１つが選択される。その選択ボタンは、可動側表示操作部２８と固定側表示操作部３６のうちのいずれかに設けられている。
【００２２】
選択される第１通信は、非接触ＩＣカード２２とハンディーリーダーライター１との間で可動側アンテナ部２７を介して実行されるデータ交換通信である。ハンディーリーダーライター１と非接触ＩＣカード２２とは互いに固定関係を有し、そのデータ交換通信は確実性の点で安定的である。このときの交換データ履歴は、可動側制御部２５の指示によりリーダーライター設置台２の固定側制御部３３に電力供給線４２又は転送用有線４４で転送され、固定側制御部３３から有線３９を介してリーダーライター制御部４１に転送される。このような処理中に、収受員はドライバーとの間で現金収受、サービス説明のような料金収受以外の行為を続けることができる。
【００２３】
選択される第２通信は、非接触ＩＣカード２２とリーダーライター設置台２との間で固定側アンテナ部３５を介して実行されるデータ交換通信である。リーダーライター設置台２と非接触ＩＣカード２２とは互いに固定関係を有し、そのデータ交換通信は確実性の点で安定的である。このときの交換データ履歴は、固定側制御部３３の指示により固定側制御部３３から有線３９を介してリーダーライター制御部４１に転送される。このような処理中に、収受員はドライバーとの間で現金収受、サービス説明のような料金収受以外の行為を続けることができる。
【００２４】
リーダーライター部３１は、必須的に必要という訳ではない。リーダーライター部３１が設けられないリーダーライター設置台２は、これがハンディーリーダーライター１に対して充電電力を提供することができる点とハンディーリーダーライター１を安定化して通信を安定化することができる点で重要である。固定側電源部３２は、そのような充電器として兼用される。リーダーライター部３１がリーダーライター設置台２に設けられる場合には、リーダーライター設置台２に載置されないハンディーリーダーライター１の可動側リーダーライター部２３と第１ドライバーの非接触ＩＣカード２２との間の通常処理が実行され、その通常処理の実行期間中に、リーダーライター設置台２の非接触ＩＣカード安定収容穴１６に載置される第２ドライバーの非接触ＩＣカード２２とリーダーライター設置台２のリーダーライター部３１との間の特別処理が実行される。
【図面の簡単な説明】
【００２５】
【図１】図１は、本発明による非接触ＩＣカード用リーダーライターの実現態を示す斜軸投影図である。
【図２】図２は、リーダーライターの使用状態を示す断面図である。
【図３】図３は、通信方法を示す回路ブロック図である。
【符号の説明】
【００２６】
１…リーダーライター
２…支持台（リーダーライター設置台）
３…第２筐体部分
４…第１筐体部分
７，１１，１３…接合面（穴面）
１６…装着部位
２２…非接触ＩＣカード
２３…通信部
２４…可動側電源部
２７…アンテナ部
３２…固定側電源部
４１…リードライト制御器
４２…有線
４３…差込み
【図１】
2005135351.tif 000003
【図２】
2005135351.tif 000004
【図３】
2005135351.tif 000005